(57)【要約】【課題】本発明は、レゾルバ側端子ピンとハーネスとの間にハーネス側端子ピンを設け、位置決めを容易として抵抗溶接で接続することを目的とする。【解決手段】本発明によるレゾルバ・ハーネス接続構造は、ハーネス(4)が接続されたハーネス側端子ピン(3)に設けた位置決め用ガイド箱(8)にレゾルバ側端子ピン(1)を貫通させ、このレゾルバ側端子ピン(1)を折り返し舌片(9)でかしめ固定し、ハーネス側端子ピン(3)とレゾルバ側端子ピン(1)とを抵抗溶接を用いて接続した構成である。【選択図】図１
2006284479.tif 000002
【特許請求の範囲】
【請求項１】
レゾルバ(2)に設けられた複数のレゾルバ側端子ピン(1)と、前記各レゾルバ側端子ピン(1)に対して接続されハーネス(4)を有するハーネス側端子ピン(3)とからなるレゾルバ・ハーネス接続構造において、
前記レゾルバ側端子ピン(1)は断面四角形よりなり、前記ハーネス側端子ピン(3)には、四角孔(7)を有する位置決め用ガイド箱(8)と折り返し舌片(9)が設けられ、前記レゾルバ側端子ピン(1)は前記位置決め用ガイド箱(8)を貫通して前記折り返し舌片(9)と重合し、前記レゾルバ側端子ピン(1)は前記折り返し舌片(9)によってかしめ固定されている構成よりなることを特徴とするレゾルバ・ハーネス接続構造。
【請求項２】
前記ハーネス側端子ピン(3)は、前記位置決め用ガイド箱(8)の対向位置に、切欠き部(6)を介して前記ハーネス(4)を固定するための一対の半円筒状をなす固定部材(5)を有し、前記折り返し舌片(9)は、前記位置決め用ガイド箱(8)と前記固定部材(5)との間に位置していることを特徴とする請求項１記載のレゾルバ・ハーネス接続構造。
【請求項３】
前記折り返し舌片(9)及びハーネス側端子ピン(3)と前記レゾルバ側端子ピン(1)とは前記かしめ固定後に抵抗溶接されていることを特徴とする請求項１又は２記載のレゾルバ・ハーネス接続構造。
【発明の詳細な説明】
【技術分野】
【０００１】
本発明は、レゾルバ・ハーネス接続構造に関し、特に、ハーネス側端子ピンに設けた位置決め用ガイド箱にレゾルバ側端子ピンを貫通させ、このレゾルバ側端子ピンを折り返し舌片でかしめ固定し、ハーネス側端子ピンとレゾルバ側端子ピンとを抵抗溶接を用いて確実に接続するための新規な改良に関する。
【背景技術】
【０００２】
従来、用いられていたこの種のレゾルバ・ハーネス接続構造としては、特許文献等を開示していないが、半田による接続か、又は、抵抗溶接によって、レゾルバ側端子ピンとハーネスとを半田又は抵抗溶接で接続していた。
【発明の開示】
【発明が解決しようとする課題】
【０００３】
従来のレゾルバ・ハーネス接続構造は、以上のように構成されていたため、次のような課題が存在していた。
すなわち、ハーネスを直接レゾルバ側端子ピンに対して、半田又は抵抗溶接で固定すると、手作業か又は治具を用いての作業となるため、量産性に乏しいと共に、接続時の位置決めが難しく、かつ、はがれ方向の強度が低く、信頼性の確保が困難であった。
【課題を解決するための手段】
【０００４】
本発明によるレゾルバ・ハーネス接続構造は、レゾルバに設けられた複数のレゾルバ側端子ピンと、前記各レゾルバ側端子ピンに対して接続されハーネスを有するハーネス側端子ピンとからなるレゾルバ・ハーネス接続構造において、前記レゾルバ側端子ピンは断面四角形よりなり、前記ハーネス側端子ピンには、四角孔を有する位置決め用ガイド箱と折り返し舌片が設けられ、前記レゾルバ側端子ピンは前記位置決め用ガイド箱を貫通して前記折り返し舌片と重合し、前記レゾルバ側端子ピンは前記折り返し舌片によってかしめ固定されている構成よりなる構成であり、また、前記ハーネス側端子ピンは、前記位置決め用ガイド箱の対向位置に、切欠き部を介して前記ハーネスを固定するための一対の半円筒状をなす固定部材を有し、前記折り返し舌片は、前記位置決め用ガイド箱と前記固定部材との間に位置している構成であり、また、前記折り返し舌片及びハーネス側端子ピンと前記レゾルバ側端子ピンとは前記かしめ固定後に抵抗溶接されている構成である。
【発明の効果】
【０００５】
本発明によるレゾルバ・ハーネス接続構造は、以上のように構成されているため、次のような効果を得ることができる。
すなわち、ハーネスに接続したハーネス側端子ピンに位置決め用ガイド箱と折り返し舌片とを設け、この位置決め用ガイド箱内を貫通させたハーネス側端子ピンを折り返し舌片によってかしめ固定し、その後、抵抗溶接を行っているため、ハーネスとレゾルバ側端子ピンの接続位置が簡単にかつ正確に設定され、同時に高い接続強度が得られる。
【発明を実施するための最良の形態】
【０００６】
本発明は、ハーネス側端子ピンに設けた位置決め用ガイド箱にレゾルバ側端子ピンを貫通させ、このレゾルバ側端子ピンを折り返し舌片でかしめ固定し、ハーネス側端子ピンとレゾルバ側端子ピンとを抵抗溶接を用いて確実に接続するようにしたレゾルバ・ハーネス接続構造を提供することを目的とする。
【実施例】
【０００７】
以下、図面と共に本発明によるレゾルバ・ハーネス接続構造の好適な実施の形態について説明する。
図１において符号１で示されるものは、図３のレゾルバ２に突出して複数本形成されたレゾルバ側端子ピンであり、このレゾルバ側端子ピン１は断面四角形でかつ長手形状に形成されている。
【０００８】
前記レゾルバ側端子ピン１に接続されるハーネス側端子ピン３は車輌又は装置等のハーネス４に接続されるように構成されており、このハーネス４はハーネス側端子ピン３の基部側の一対の半円筒状をなす各固定部材５にかしめによって接続されている。
【０００９】
前記ハーネス側端子ピン３の先端側には、前記固定部材５から切欠き部６を介して対向するように四角孔７を有する位置決め用ガイド箱８が形成されており、前記切欠き部６には、このハーネス側端子ピン３と一体に形成されて折り返されている折り返し舌片９が設けられている。従って、折り返し舌片９は、固定部材５と位置決め用ガイド箱８との間に位置している。
【００１０】
前記位置決め用ガイド箱８の四角孔７内には、前記レゾルバ側端子ピン１が貫通して挿入され、このレゾルバ側端子ピン１の先端側は前記折り返し舌片９に内側の位置してこれと重合する。
その後、図２で示されるように、ハーネス側端子ピン３と折り返し舌片９及びレゾルバ側端子ピン１とは、一対の電極１０、１０ａによって熱かしめ手段によるかしめが行われ、レゾルバ側端子ピン１はハーネス側端子ピン３に対して所定の位置に位置決め固定される。
【００１１】
その後、前記ハーネス側端子ピン３とレゾルバ側端子ピン１とは、周知の抵抗溶接によって一体状に固定接続され、図３で示されるように、レゾルバ２に対してハーネス側端子ピン３を介してハーネス４を確実に接続することができる。
【産業上の利用可能性】
【００１２】
本発明は、レゾルバに限ることなく、モータ等の他の機器にも適用可能である。
【図面の簡単な説明】
【００１３】
【図１】本発明によるレゾルバ・ハーネス接続構造を示す分解斜視図である。
【図２】図１のかしめ状態を示す説明図である。
【図３】図１のハーネスとレゾルバが接続された状態を示す平面図である。
【符号の説明】
【００１４】
１    レゾルバ側端子ピン
２    レゾルバ
３    ハーネス側端子ピン
４    ハーネス
５    固定部材
６    切欠き部
７    四角孔
８    位置決め用ガイド箱
９    折り返し舌片
【図１】
2006284479.tif 000003
【図２】
2006284479.tif 000004
【図３】
2006284479.tif 000005